(57)【要約】【課題】  遊技機用のメモリモジュールのセキュリティとリユース性を両立させる。【解決手段】  メモリモジュール３のコネクタ３１の端子と記憶素子３２の書込信号入力端を接続する書込信号線にスイッチ３３ａを設けるとともに、ケース３５の内面に突起３５ａを設け、ケース３５で封印している状態でスイッチ３３ａがオフになるように構成した。メモリモジュール単体の状態で記憶素子３２の内容の書き換えを行うことができない（セキュリティを担保）が、封印を解きケース３５を外すことで内容の書き換えが可能になる（リユース性の向上）。【選択図】        図３
2008302036.tif 000002
【特許請求の範囲】
【請求項１】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記コネクタに含まれる端子のいずれかを前記記憶素子の書込信号入力端に接続する書込信号線と、前記書込信号線に設けられて前記コネクタに含まれる端子と前記記憶素子の書込信号入力端の接続をオンオフするスイッチと、を備え、
前記スイッチは、前記ケースで少なくとも前記基板及び前記記憶素子を収納した状態で、その作用部が前記ケースの少なくとも一部に当接することでオフになっていることを特徴とする遊技機。
【請求項２】
前記ケースで少なくとも前記基板及び前記記憶素子を収納した状態で前記スイッチの作用部に当接する突起を、前記ケースの内面に設けたことを特徴とする請求項１記載の遊技機。
【請求項３】
前記ケースには穴が設けられるとともに、前記穴に挿入される挿入部材が備えられ、前記挿入部材及び前記穴を覆うように前記ケースの表面に封印部材が設けられ、
前記スイッチは、前記ケースで少なくとも前記基板及び前記記憶素子を収納した状態で、その作用部が前記挿入部材の少なくとも一部に当接することを特徴とする請求項１記載の遊技機。
【請求項４】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記コネクタに含まれる端子のいずれかを前記記憶素子の書込信号入力端に接続する書込信号線と、前記ケース内に設けられて前記ケースの外から入る光を受光する受光部と、前記受光部の出力に基づき前記コネクタに含まれる端子と前記記憶素子の書込信号入力端の接続をオンオフする制御部と、前記ケースの表面で前記受光部を覆うように設けられて光を遮蔽する封印部材と、を備え、
前記封印部材により光を遮蔽した状態で、前記制御部は前記コネクタに含まれる端子と前記記憶素子の書込信号入力端の接続をオフにしていることを特徴とする遊技機。
【請求項５】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記コネクタに含まれる端子のいずれかを前記記憶素子の書込信号入力端に接続する書込信号線と、前記ケース内に設けられて前記ケースの外から入る電波を受信する受信機と、前記受信機の出力に基づき前記コネクタに含まれる端子と前記記憶素子の書込信号入力端の接続をオンオフする制御部と、前記ケースの表面全体に設けられて電波を遮蔽する封印部材と、を備え、
前記封印部材により電波を遮蔽した状態で、前記制御部は前記コネクタに含まれる端子と前記記憶素子の書込信号入力端の接続をオフにしていることを特徴とする遊技機。
【請求項６】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記ケース内に設けられて前記ケースの外から入る光を受光する受光部又は前記ケース内に設けられて前記ケースの外から入る電波を受信する受信機と、前記受光部又は前記受信機の出力に基づき書込信号を生成する書込信号発生器と、前記書込信号発生器の出力を前記記憶素子の書込信号入力端に接続する書込信号線と、前記ケースの表面で前記受光部を覆うように設けられて光を遮蔽する封印部材又は前記ケースの表面全体に設けられて電波を遮蔽する封印部材と、を備えることを特徴とする遊技機。
【請求項７】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記ケースを貫通して設けられた書込信号端子と、前記書込信号端子を前記記憶素子の書込信号入力端に接続する書込信号線と、前記ケースの表面で前記書込信号端子を覆うように設けられた絶縁体の封印部材と、を備えることを特徴とする遊技機。
【請求項８】
基板及び前記基板上に搭載された記憶素子と、少なくとも前記基板及び前記記憶素子を収納するケースと、前記記憶素子を外部の処理部に電気的に接続するためのコネクタと、前記コネクタに含まれる端子のいずれかを前記記憶素子の書込信号入力端に接続する書込信号線と、前記書込信号線に設けられて前記コネクタに含まれる端子と前記記憶素子の書込信号入力端の接続をオンオフするスイッチと、を備え、前記スイッチは、前記ケースで少なくとも前記基板及び前記記憶素子を収納した状態で、その作用部が前記ケースの内面の少なくとも一部に当接することでオフになっていることを特徴とする遊技機用メモリモジュール。
【請求項９】
基板及び前記基板上に搭載された記憶素子と、少なくとも前記基板及び前記記憶素子を収納するケースと、前記記憶素子を外部の処理部に電気的に接続するためのコネクタと、前記コネクタに含まれる端子のいずれかを前記記憶素子の書込信号入力端に接続する書込信号線と、前記ケース内に設けられて前記ケースの外から入る光を受光する受光部又は前記ケース内に設けられて前記ケースの外から入る電波を受信する受信機と、前記受光部又は前記受信機の出力に基づき前記コネクタに含まれる端子と前記記憶素子の書込信号入力端の接続をオンオフする制御部と、前記ケースの表面で前記受光部を覆うように設けられて光を遮蔽する封印部材又は前記ケースの表面全体に設けられて電波を遮蔽する封印部材とを備え、前記封印部材により光又は電波を遮蔽した状態で、前記制御部は前記コネクタに含まれる端子と前記記憶素子の書込信号入力端の接続をオフにしていることを特徴とする遊技機用メモリモジュール。
【請求項１０】
基板及び前記基板上に搭載された記憶素子と、少なくとも前記基板及び前記記憶素子を収納するケースと、前記記憶素子を外部の処理部に電気的に接続するためのコネクタと、前記ケース内に設けられて前記ケースの外から入る光を受光する受光部又は前記ケース内に設けられて前記ケースの外から入る電波を受信する受信機と、前記受光部又は前記受信機の出力に基づき書込信号を生成する書込信号発生器と、前記書込信号発生器の出力を前記記憶素子の書込信号入力端に接続する書込信号線と、前記ケースの表面で前記受光部を覆うように設けられて光を遮蔽する封印部材又は前記ケースの表面全体に設けられて電波を遮蔽する封印部材と、を備えることを特徴とする遊技機用メモリモジュール。
【請求項１１】
基板及び前記基板上に搭載された記憶素子と、少なくとも前記基板及び前記記憶素子を収納するケースと、前記記憶素子を外部の処理部に電気的に接続するためのコネクタと、前記ケースを貫通して設けられた書込信号端子と、前記書込信号端子を前記記憶素子の書込信号入力端に接続する書込信号線と、前記ケースの表面で前記書込信号端子を覆うように設けられた絶縁体の封印部材と、を備えることを特徴とする遊技機用メモリモジュール。
【発明の詳細な説明】
【技術分野】
【０００１】
この発明は、スロットマシン等の遊技機及び遊技機用メモリモジュールに関し、特にＲＯＭデータの改ざん等の不正行為を防止しつつ、リユース性（再使用適性）を向上させたものに関する。
【背景技術】
【０００２】
スロットマシンやパチンコ機などの遊技機はマイコン（ＣＰＵ）を内蔵していて、抽選・入賞・払い出し・演出の制御をプログラムで実現している。この種の遊技機は、遊技者の操作を受けて内部抽選及び該抽選結果に応じた入賞判定を行うとともに、入賞に応じて遊技媒体の払い出し制御を行うメイン基板と、メイン基板からコマンドを受けて内部抽選の結果を報知したり各種演出を行うサブ基板とを備えている。
【０００３】
多くの遊技において、液晶表示装置やスピーカ、表示ランプなどの演出表示装置により、遊技者に入賞等を報知したり、いわゆるアシストタイム（ＡＴ）において、一定ゲーム間に特定の小役を台自体が何らかのアクションを伴ってユーザに教えたりする。（アシストタイム（ＡＴ）：特定の小役が成立しても遊技者がリールの図柄を揃えないと払い戻しがない。小役による払い出しを確実にするために、ビッグボーナス終了後（もしくは成立時）あるいはその他の任意の契機にアシストタイムを抽選し、これに当選すると一定ゲーム間は特定の小役を成立させるための操作を何らかのアクションを伴って遊技者に教えるという機能）
【０００４】
上記ＡＴのように、サブ基板側のソフトウエアで出玉の獲得割合の重みを制御するようにしている遊技機がある。サブ基板側に出玉の調整機能を持たせたのである。具体的には、上述のように出玉を得るための指示を液晶表示装置に表示して遊技者がその指示に従って操作すれば容易に出玉を得られるようにしている。当該指示は常時出されるわけではなく、特定の場合に出される。
【０００５】
上述のように、メイン基板やサブ基板は抽選・入賞・払い出し・演出の制御をプログラムで実現している。各基板のプログラムは遊技に関する重要な制御を行っている。
【０００６】
ところで、スロットマシンやパチンコ機のような遊技機は法律による規制を受けていて、このため各基板のプログラムは関係機関による事前の検定及び承認を受ける必要があり、勝手に改変することは許されていない。各基板に搭載されるプログラム、具体的にはＲＯＭの内容は関係機関への申請時に決定され、同じ機種の遊技機のＲＯＭの内容は常に同一であることが求められている。ＲＯＭデータの不正な改ざんを防止するために、メイン基板等はケースに収納された状態で封印されている。
【発明の開示】
【発明が解決しようとする課題】
【０００７】
従来の遊技機ではメイン基板などの基板上にＲＯＭ（記憶素子）を直接実装していたが、最近では、メイン基板とは別の基板を用意し、この基板上に複数のＲＯＭを搭載したメモリモジュールを使用することが多くなってきている。このやり方には、最近よく使用される面実装型ＲＯＭを簡便に扱うことができるというメリットと、ソフトウエアを変更するにあたりメモリモジュールを交換するだけで済み、ソフトウエア変更の際の作業が簡単になるというメリットがある。
【０００８】
上記メモリモジュールをケースに収納することでユニット化し、カセットテープのように極めて容易に着脱可能に構成することで、ソフトウエア変更に係る作業コストを一層低減することが可能と考えられる。しかし、そのためには、ＲＯＭデータの不正な改ざんを防止するための対策（セキュリティ対策）が求められる。具体的には次のような対策が求められる。
【０００９】
・封印されたメモリモジュールがメイン基板から抜き出された状態（メモリモジュール単体の状態）で、ＲＯＭ（記憶素子）への書き込み及び内容の変更が不可能であること
【００１０】
上記対策を実現するためには、例えば、基板及びＲＯＭ（記憶素子）をケースに収納し、コネクタのみ外部に露出するようにし、前記ケースを封印するとともに、メモリモジュールのコネクタにＲＯＭの書込信号の端子を設けない、すなわち、ＲＯＭの書込信号入力端をコネクタの端子に接続しなければよい。このようにすれば、ケースの封印を解いてＲＯＭを取り出さない限り、ＲＯＭの書込信号入力端に信号を入力することができず、したがって、メモリモジュール単体の状態でＲＯＭへの書き込み及び内容の変更は不可能である。
【００１１】
しかし、上記のやり方には欠点もある。例えば、メモリモジュールのＲＯＭに記憶されているプログラムを書き換えて他の機種へ転用するためには、ケースの封印を解き、基板をケースから取り出し、さらに基板からＲＯＭを取り外す、という作業が必要になる。すなわち、ソフトウエア変更のためにはメモリモジュールをいったん解体しなければならず、メモリモジュール単体の状態でソフトウエア変更は行えない。上記作業には大変な手間がかかる。したがって、上記のやり方はセキュリティの点で問題はないが、いわゆるリユース性が低下するという問題がある。
【００１２】
本発明は、上記問題を解決するためになされたもので、セキュリティとリユース性を両立させることのできる遊技機及び遊技機用メモリモジュールを提供することを目的とする。
【課題を解決するための手段】
【００１３】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記コネクタに含まれる端子のいずれかを前記記憶素子の書込信号入力端に接続する書込信号線と、前記書込信号線に設けられて前記コネクタに含まれる端子と前記記憶素子の書込信号入力端の接続をオンオフするスイッチと、を備え、
前記スイッチは、前記ケースで少なくとも前記基板及び前記記憶素子を収納した状態で、その作用部が前記ケースの少なくとも一部に当接することでオフになっているものである。
【００１４】
前記ケースで少なくとも前記基板及び前記記憶素子を収納した状態で前記スイッチの作用部に当接する突起を、前記ケースの内面に設けるようにしてもよい。
例えば、前記ケースに穴が設けられ、前記突起は前記穴に挿入される挿入部材であり、前記挿入部材及び前記穴を覆うように前記ケースの表面に封印部材を設けるようにしてもよい。
【００１５】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記コネクタに含まれる端子のいずれかを前記記憶素子の書込信号入力端に接続する書込信号線と、前記ケース内に設けられて前記ケースの外から入る光を受光する受光部又は前記ケース内に設けられて前記ケースの外から入る電波を受信する受信機と、前記受光部又は前記受信機の出力に基づき前記コネクタに含まれる端子と前記記憶素子の書込信号入力端の接続をオンオフする制御部と、前記ケースの表面で前記受光部を覆うように設けられて光を遮蔽する封印部材又は前記ケースの表面全体に設けられて電波を遮蔽する封印部材と、を備え、
前記封印部材により光又は電波を遮蔽した状態で、前記制御部は前記コネクタに含まれる端子と前記記憶素子の書込信号入力端の接続をオフにしているものである。
【００１６】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記ケース内に設けられて前記ケースの外から入る光を受光する受光部又は前記ケース内に設けられて前記ケースの外から入る電波を受信する受信機と、前記受光部又は前記受信機の出力に基づき書込信号を生成する書込信号発生器と、前記書込信号発生器の出力を前記記憶素子の書込信号入力端に接続する書込信号線と、前記ケースの表面で前記受光部を覆うように設けられて光を遮蔽する封印部材又は前記ケースの表面全体に設けられて電波を遮蔽する封印部材と、を備えるものである。
【００１７】
基板及び前記基板上に搭載された記憶素子を含むメモリモジュールと、処理部を搭載するとともに前記メモリモジュールを着脱可能に搭載する制御装置とを備える遊技機であって、
前記メモリモジュールは、
少なくとも前記基板及び前記記憶素子を収納するケースと、前記記憶素子を前記処理部に電気的に接続するためのコネクタと、前記ケースを貫通して設けられた書込信号端子と、前記書込信号端子を前記記憶素子の書込信号入力端に接続する書込信号線と、前記ケースの表面で前記書込信号端子を覆うように設けられた絶縁体の封印部材と、を備えるものである。
【００１８】
この発明に係るメモリモジュールは、基板及び前記基板上に搭載された記憶素子と、少なくとも前記基板及び前記記憶素子を収納するケースと、前記記憶素子を外部の処理部に電気的に接続するためのコネクタと、前記コネクタに含まれる端子のいずれかを前記記憶素子の書込信号入力端に接続する書込信号線と、前記書込信号線に設けられて前記コネクタに含まれる端子と前記記憶素子の書込信号入力端の接続をオンオフするスイッチと、を備え、前記スイッチは、前記ケースで少なくとも前記基板及び前記記憶素子を収納した状態で、その作用部が前記ケースの内面の少なくとも一部に当接することでオフになっているものである。
【００１９】
この発明に係るメモリモジュールは、基板及び前記基板上に搭載された記憶素子と、少なくとも前記基板及び前記記憶素子を収納するケースと、前記記憶素子を外部の処理部に電気的に接続するためのコネクタと、前記コネクタに含まれる端子のいずれかを前記記憶素子の書込信号入力端に接続する書込信号線と、前記ケース内に設けられて前記ケースの外から入る光を受光する受光部又は前記ケース内に設けられて前記ケースの外から入る電波を受信する受信機と、前記受光部又は前記受信機の出力に基づき前記コネクタに含まれる端子と前記記憶素子の書込信号入力端の接続をオンオフする制御部と、前記ケースの表面で前記受光部を覆うように設けられて光を遮蔽する封印部材又は前記ケースの表面全体に設けられて電波を遮蔽する封印部材とを備え、前記封印部材により光又は電波を遮蔽した状態で、前記制御部は前記コネクタに含まれる端子と前記記憶素子の書込信号入力端の接続をオフにしているものである。
【００２０】
この発明に係るメモリモジュールは、基板及び前記基板上に搭載された記憶素子と、少なくとも前記基板及び前記記憶素子を収納するケースと、前記記憶素子を外部の処理部に電気的に接続するためのコネクタと、前記ケース内に設けられて前記ケースの外から入る光を受光する受光部又は前記ケース内に設けられて前記ケースの外から入る電波を受信する受信機と、前記受光部又は前記受信機の出力に基づき書込信号を生成する書込信号発生器と、前記書込信号発生器の出力を前記記憶素子の書込信号入力端に接続する書込信号線と、前記ケースの表面で前記受光部を覆うように設けられて光を遮蔽する封印部材又は前記ケースの表面全体に設けられて電波を遮蔽する封印部材と、を備えるものである。
【００２１】
この発明に係るメモリモジュールは、基板及び前記基板上に搭載された記憶素子と、少なくとも前記基板及び前記記憶素子を収納するケースと、前記記憶素子を外部の処理部に電気的に接続するためのコネクタと、前記ケースを貫通して設けられた書込信号端子と、前記書込信号端子を前記記憶素子の書込信号入力端に接続する書込信号線と、前記ケースの表面で前記書込信号端子を覆うように設けられた絶縁体の封印部材と、を備えるものである。
【発明の効果】
【００２２】
この発明によれば、メモリモジュールのコネクタの端子と記憶素子の書込信号入力端を接続する書込信号線にスイッチを設け、ケースで封印している状態で前記スイッチがオフになるように構成したので、メモリモジュール単体で前記記憶素子の内容の書き換えを行うことができないが、封印を解くことで内容の書き換えが可能になる。よって、セキュリティとリユース性を両立させることができる。
【発明を実施するための最良の形態】
【００２３】
この発明の実施の形態に係る遊技機について図面を参照して説明する。
図１は遊技機（スロットマシン、回胴式遊技機とも呼ばれる）の正面図である。
遊技機１０で遊技を楽しもうとする遊技者は、まずメダル貸機（図示しない）等から遊技媒体であるメダルを借り、メダル投入装置のメダル投入口１００に直接メダルを入れる。メダル投入口１００は、遊技機１０の正面で略中央の高さに設けられている。
【００２４】
遊技機１０は、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ベットスイッチ１６は、回転リール４０の下方に位置するスイッチであって、メダル投入口１００に連続してメダル投入をして貯留させた貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはベットスイッチ１６の投入を条件に、リールユニット６０の駆動を開始させる。ストップスイッチ５０は、リールユニット６０の駆動を停止させるためのものである。リールユニット６０は、三個の回転リール４０から構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。６２は各種の演出を行うための液晶表示部である。
【００２５】
遊技機１０の内部には、後述のように、遊技機１０の全体の動作を制御するための制御装置が内蔵されている。制御装置は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで動作させるものであり、具体的には、スタートスイッチ３０及びストップスイッチ５０の操作に基づき回転リール４０の回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００２６】
スタートスイッチ３０は、前述のように回転リール４０の斜め下方に位置するレバーであって、遊技メダルの投入若しくはベットスイッチ１６の投入を条件に、または、入賞判定に応じて得られる「再遊技（Ｒｅｐｌａｙ）」時には前遊技からの所定時間経過を条件に、リールユニット６０の駆動を開始させるためのものである。
【００２７】
ストップスイッチ５０は、前述のようにリールユニット６０の駆動を停止させるためのものである。具体的には、ストップスイッチ５０は、各回転リール４０に対応した三個のスイッチから構成され、各回転リール４０の下方に１個ずつ配置されているものである。回転リール４０に対応したストップスイッチ５０の操作により、当該対応した回転リール４０の回転を停止するように設定されている。
【００２８】
メダルの投入若しくはベットスイッチ１６の投入を条件に、または、前記「再遊技（Ｒｅｐｌａｙ）」時には前遊技から所定時間経過を条件に、スタートスイッチ３０を操作すると、リールユニット６０が駆動され、三個の回転リール４０が回転を開始する。その後、ストップスイッチ５０の一個を操作すると、当該対応する回転リール４０の回転が停止する。そして、ストップスイッチ５０を三個全て操作すると、三個の回転リール４０の回転が全て停止する。このとき、図柄表示窓１３の有効入賞ライン上に、予め設定された図柄６１が停止すると入賞と判定され、図示しないホッパーユニットを介して所定枚数のメダルが払い出される。なお、メダルを払い出す代わりに、クレジットしてもよい。
【００２９】
図２は遊技機１０の電気的な概略構造を示すブロック図である。この図において電源系統についての表示は省略されている。遊技機１０は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
なお、メイン基板１及びサブ基板２は、本発明の実施の形態に係るメモリモジュールを着脱可能に搭載する制御装置である。
【００３０】
メイン基板１は、遊技者の操作を受けて内部抽選を行ったり、リールの回転・停止やメダルの払い出しなどの処理を行うためのものである。メイン基板１は、予め設定されたプログラムに従って制御動作を行うＣＰＵと、処理結果などを一時的に記憶するＲＡＭを含む。
【００３１】
前記プログラムを記憶する記憶素子であるＲＯＭは、メモリモジュール３に搭載されている。メモリモジュール３は、基板と、当該基板に搭載されたＲＯＭ（記憶素子）と、外部との電気的接続を行うコネクタと、少なくとも基板及びＲＯＭを収納するケースとを備えるものである。ケースを封印することにより、ＲＯＭを取り出すことができなくなる。また、ケースを備えることによりメモリモジュール３はカセット式になるのでＲＯＭの着脱が容易である。メモリモジュール３については、後に詳しく説明する。
【００３２】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。
なお、ＲＯＭはメモリモジュール３に搭載されている。
【００３３】
コマンドの流れはメイン基板１からサブ基板２への一方のみであり、逆にサブ基板２からメイン基板１へコマンド等が出されることはない。
【００３４】
メイン基板１にはスタートスイッチ３０，ストップスイッチ５０，リール駆動部７０，リール位置検出回路７１、ホッパー駆動部８０、ホッパー８１及びホッパー８１から払い出されたメダルの枚数を数えるためのメダル検出部８２が接続されている。サブ基板２には液晶表示装置６２の制御基板２００、スピーカ２０１、ＬＥＤ基板２０２などの周辺基板（ローカル基板）が接続されている。
【００３５】
図３は、発明の実施の形態に係るメモリモジュールの斜視図である。同図は、メモリモジュール３をメイン基板１などから取り外した単体の状態を示している。内部構造を見やすくするために、ケースの一部を切り欠いて表示している。
【００３６】
３は、基板３４と、基板３４上に搭載されたＲＯＭ（記憶素子）３２を含むメモリモジュールである。
【００３７】
３１は、メイン基板１などと電気的接続を行うためのコネクタである。コネクタ３１は基板３４の端に設けられ、その接続面は露出していて、当該接続面でメイン基板１などの上に設けられた図示しないコネクタと嵌合する。
【００３８】
３３ａは、押しボタン式のスイッチである。スイッチ３３ａの上面に設けられた作用部が押し込まれている状態でスイッチ３３ａはオフになり、上記作用部が突出した状態でスイッチ３３ａはオンになる。
【００３９】
３５は、ＲＯＭ３２、スイッチ３３ａ及び基板３４を収納するケースである。ケース３５の側面には開口が設けられ、ここにコネクタ３１が位置している。ケース３５の形状は直方体であり、具体的には、箱（例えば弁当箱のように上面が開放されたもの）と蓋を組み合わせたものである。ケース３５でＲＯＭ３２、スイッチ３３ａ及び基板３４を収納するときは、箱にＲＯＭ３２などを収納してから蓋を被せることでケース３５を密閉し（コネクタ３１の部分は除く）、そして箱と蓋を接着する、あるいは箱と蓋の間にシールなどを貼ることで封印する。この状態でケース３５からＲＯＭ３２などを取り出せなくなる。
【００４０】
ケース３５は、上述のように少なくとも２つの部分からなり、これらを組み合わせることでＲＯＭ３２などの収納と封印を行うものである。ただし、このような構成は周知であるし、当該構成を図示すると図面が見づらくなるので、図３においてその表示を省略している（箱と蓋の区別を図示していない）。図５以下でも同様である。
【００４１】
３５ａは、ケース３５の内面に、ケース３５でＲＯＭ３２、スイッチ３３ａ及び基板３４を収納した状態でスイッチ３３ａの作用部に当接するように設けられた突起である。ケース３５でＲＯＭ３２などを収納した状態（封印された状態）では、スイッチ３３ａの作用部を突起３５ａで押し込んでいるので、スイッチ３３ａはオフになっている。
【００４２】
図４（ａ）は、図３のメモリモジュール３の内部接続を示すブロック図である。同図はメモリモジュール３をメイン基板１などに装着した状態を示す。
【００４３】
ＲＯＭ３２のアドレス信号入力端（ＡＤＤ）、データ信号入出力端（ＤＡＴＡ）は、コネクタ３１を通してメイン基板１などのＣＰＵのアドレスバス、データバスに接続されている。ＲＯＭ３２の制御信号入力端（／ＯＥ：Output Enable）も同様である。
【００４４】
ＲＯＭ３２の書込信号入力端（／ＷＲ）は、コネクタ３１に含まれる複数の端子のひとつ（端子３１ａ）に書込信号線３１ｂで接続されている。信号線３１ｂの途中にはスイッチ３３ａが設けられている。スイッチ３３ａは、端子３１ａとＲＯＭ３２の書込信号入力端（／ＷＲ）の接続をオンオフするスイッチである。
【００４５】
なお、遊技機に装着された状態でＲＯＭ３２の内容を書き換えることはないから、端子３１ａに対応するメイン基板１の配線は存在しない（メモリモジュール３を遊技機へ装着した状態で端子３１ａは無接続である）。図４（ａ）の×印はそのことを意味する（他の図でも同様）。
【００４６】
上記説明ではスイッチ３３ａは機械式の押しボタンスイッチであったが、これに代えて非接触式のスイッチを用いることもできる。
例えば、磁界の有無でオンオフするリードスイッチを用いることができる。
【００４７】
図４（ｂ）は光学式のフォトインタラプタ３３ｂを用いたブロック図である。フォトインタラプタとは、１つのケースの中に発光素子（発光ダイオードなど）と受光素子（フォトトランジスタ、フォトダイオードなど）を対向配置し、その間に検出用の溝を設け、当該検出溝間に物体が存在することを非接触で検知するものである。図４（ｂ）の発光部３３ｂ−１には発光素子が設けられ、受光部３３ｂ−２には受光素子が設けられる。突起３５ａが発光部３３ｂ−１からの光Ｌを遮ることでスイッチ３３ｂはオフになる。
【００４８】
図５を参照して、発明の実施の形態に係るメモリモジュール３の動作、特に突起３５ａによるスイッチ３３ａ、３３ｂのオンオフ動作について説明を加える。
【００４９】
図５（ａ）は、メモリモジュール３の平面図である。図５（ｂ）〜（ｄ）は、図５（ａ）のＡ−Ａ矢視断面図である。なお、この図では、ケース３５と一体に形成された突起３５ａを示しているが、これは一例である。他の例は後述する。
【００５０】
図５（ｂ）は、ケース３５内にＲＯＭ３２、スイッチ３３ａ及び基板３４を収納した状態（封印状態）を示す。この状態では、突起３５ａがスイッチ３３ａの作用部３３ａ−１に当接し、これを押し込むのでスイッチ３３ａはオフになっている。
【００５１】
図５（ｃ）は、ケース３５からＲＯＭ３２、スイッチ３３ａ及び基板３４を取り出した状態（開封状態）を示す。この状態では、突起３５ａがなくなっているので、スイッチ３３ａの作用部３３ａ−１は突出し、スイッチ３３ａはオンになっている。この状態でＲＯＭ３２に書き込みを行うことができる（ＲＯＭ３２を基板３４から外す必要がない）。
【００５２】
図５（ｄ）は、スイッチとしてフォトインタラプタ３３ｂを使用した場合の例を示す。突起３５ａが発光部３３ｂ−１と受光部３３ｂ−２の間に設けられた溝に嵌まり込み、発光部３３ｂ−１からの光を遮ることでフォトインタラプタ（スイッチ）３３ｂはオフになる。開封状態では、図５（ｃ）と同様に、フォトインタラプタ３３ｂはオンになるが、その図示は省略する。
【００５３】
上述したように、ケース３５でＲＯＭ３２などを収納した状態（封印された状態）では、突起３５ａの作用によりスイッチ３３ａ又は３３ｂはオフである（図５（ｂ）（ｄ））。メモリモジュール３がケース３５に収納され封印されている限り、コネクタ３１の端子３１ａに入力した書込信号（／ＷＲ）はＲＯＭ３２に到達することができず、ＲＯＭ３２の内容の書き換えは不可能である。したがって、発明の実施の形態に係るメモリモジュールは、下記のセキュリティ対策を備えている。
・封印されたメモリモジュールがメイン基板から抜き出された状態（メモリモジュール単体の状態）で、ＲＯＭ（記憶素子）への書き込み及び内容の変更が不可能であること
【００５４】
他方、リユース時には封印を解きケース３５を外すことで、スイッチ３３ａ又は３３ｂはオンになり（図５（ｃ））、コネクタ３１の端子３１ａに書込信号（／ＷＲ）を入力することで、ＲＯＭ３２の内容の書き換えが可能となる。
【００５５】
したがって、発明の実施の形態に係るメモリモジュールによれば、セキュリティとリユース性を両立させることができる。
【００５６】
従来のメモリモジュールでは、ケースに収納しているものが少なかった。これに対し、本発明の実施の形態に係るメモリモジュールは、基板及び記憶素子（ＲＯＭ）とケースを組み合わせることにより、セキュリティとリユース性を両立させることができたのである。従来のメモリモジュールをケースに収納することでユニット化したものにおいて、当該ケースは単なる覆い（カバー）であって、メモリモジュールの基板及び記憶素子（ＲＯＭ）と何らの相互作用を行うものではなかった。本発明の実施の形態に係るメモリモジュールでは、基板及び記憶素子（ＲＯＭ）とケースを有機的に組み合わせて相互作用させることで、セキュリティとリユース性を実現したのである。
【００５７】
以上の説明では、突起３５ａはケース３５と一体に形成されていた。図６は、突起を別部材とした例を示す（なお、図６以降の平面図及び断面図においてはＲＯＭ３２の表示は省略する）。
【００５８】
３６は、ケース３５に設けられた穴（開口）Ｈに挿入される棒状の部材（挿入部材）である。部材３６は、突起３５ａに相当するものであり、ケース３５の一部を構成するものである。
３７は、棒状の部材３６及び穴Ｈを覆うようにケース３５の表面に設けられた封印部材（シール）である。封印部材３７は剥がすと痕が残るか、あるいは容易に剥がすことのできない特殊なシールである。
【００５９】
棒状の部材３６は、いわばハメゴロシのピンであり、ケース３５の穴Ｈに差し込むと、表からは抜けないようになっている。好ましくは、無理に抜くとケース３５と棒状の部材３６が壊れるようになっている。このことと封印部材３７の作用と相俟って、図６の構成は、図５の突起３５ａと同じ作用効果を奏する。スイッチ３３ａのオンオフ動作は、前述したとおりであるので省略する。
【００６０】
なお、封印部材３７を剥がすことで、棒状の部材３６を容易に抜き出す（少なくとも、スイッチ３３ａがオンになる程度まで引き出す）ことができるようにしてもよい。例えば、棒状の部材３６を雄ネジとし、穴Ｈを雌ネジとする。ネジ回しを使えば棒状の部材３６を容易に抜き出すことができるので、ＲＯＭ３２、スイッチ３３ａ及び基板３４をケースから取り出すことなく、ＲＯＭ３２の内容を書き換えることができる。このように構成する場合は、容易に剥がせない封印部材３７を用い、開封を困難にすることが望ましい。
【００６１】
なお、突起３５ａを特に設けることなく、ケース３５の内側にスイッチ３３ａの作用部３３ａ−１が直接当接するようにしてもよい。このように構成した例を、図７に示す。
【００６２】
図７（ａ）（ｂ）では、スイッチ３３ａの作用部３３ａ−１が十分長く（図５の突起３５ａと同程度に長い）、作用部３３ａ−１がケース３５の内側に直接当接する。ケース３５は蓋３５'を含んでおり、蓋３５'がケース３５に取り付けられている状態では、蓋３５'が作用部３３ａ−１を押し込んでいてスイッチ３３ａはオフになっている（図７（ａ））。蓋３５'を取り外すと、作用部３３ａ−１は押し込まれなくなるので、スイッチ３３ａはオンになる（図７（ｂ））。したがって、図７の構造も、図５及び図６と同様の作用効果を奏する。
【００６３】
なお、作用部３３ａ−１を長くすることに代えて、ケース３５の高さを低くしてもよい（図７（ｃ））。表面実装用のＩＣなどを用いることで、基板及びこれに搭載される部品の高さを小さくすることができる。このようにすれば、スイッチ３３ａとして作用部３３ａ−１の短い一般的な押しボタンスイッチを使用することができるようになる。
【００６４】
図８〜図１０に、他の実施の形態を示す。この実施の形態は、ケース３５内部に受光部を設け、これで外部からの光を受けたときにＲＯＭ３２の内容の書き換えを可能にするものである。
【００６５】
図８〜図１０において、図４、図５などと同一相当部分については同一符号を付し、その説明は省略する。
【００６６】
３３ｃは、リレーなどのスイッチである。スイッチ３３ｃは、外部からの信号に基づきオンオフ動作を行う。
３８は、基板３４の端に設けられた受光部である。
３９は、受光部３８の出力に基づきスイッチ３３ｃをオンオフする駆動部（制御部）である。駆動部３９は、受光部３８で光を受けているとき、スイッチ３３ｃをオンする。
【００６７】
図９を参照して、図８のメモリモジュール３の動作について説明を加える。
図９（ａ）は、メモリモジュール３の平面図である。図９（ｂ）及び（ｃ）は、図５（ａ）のＡ−Ａ矢視断面図である。
【００６８】
図９（ｂ）は、封印部材３７で封印した状態を示す。封印部材３７は遮光性の材料で作られていて、少なくとも受光部３８が設けられている側のケース３５の表面を覆っている。この封印部材３７も、剥がすと痕が残るか、あるいは容易に剥がすことのできない特殊なシールである。側面からの光の回り込みを防止するために、同図に示すように封印部材３７はケース３５の上面と底面の一部を覆っていることが望ましい。この状態では、受光部３８には光が入射しないので、スイッチ３３ｃはオフになっている。
【００６９】
同図において、３８ａは受光部３８の本体であり、３８ｂは受光部３８の前面に設けられた円筒状のフード（覆い）である。フード３８ｂにより、受光部３８はその正面（同図で遮光性の封印部材３７がある方向）からの光のみを受け、上面又は底面、あるいは受光部３８の背面からの光を受けることがない。フード３８ｂを長くして受光方向を限定することにより、封印部材３７を設ける部分を狭めることができる。
【００７０】
図９（ｃ）は、ケース３５から封印部材３７を剥がした状態（開封状態）を示す。この状態で、外部から受光部３８へ向けて光Ｌを照射することにより、受光部３８は受光信号を出力し、これに基づき駆動部３９はスイッチ３３ｃをオンにする。ただし、ケース３５は光Ｌを透過する材質で作られているものとする。
【００７１】
図８及び図９の構成は、図５の突起３５ａと同じ作用効果を奏する。
【００７２】
なお、照明の光や日光で誤動作しないように、受光部３８は特定の波長の光（例えば紫外線）にのみ反応するようにしてもよい。あるいは、特定の変調（パルス変調など）を受けた光にのみ反応するようにしてもよい。
【００７３】
なお、図１０（ａ）に示すように、受光部３８のフード３８ｂをケース３５に設けた穴に嵌め込むようにしてもよい。この場合、ケース３５は光Ｌを透過する材質でなくてもよい。
また、図１０（ｂ）に示すように、受光部３８を基板３４ではなく、ケース３５に設けるようにしてもよい。
図１０（ａ）（ｂ）によれば、受光部３８にその側面から光が回り込むことがなくなるので、封印部材３７はフード３８ｂの開口を覆う程度の小さなものですむ。
【００７４】
図１１及び図１２に、他の実施の形態を示す。この実施の形態は、ケース３５内部に受信機を設け、これで外部から電波を受けたときにＲＯＭ３２の内容の書き換えを可能にするものである。
【００７５】
図１１及び図１２において、図４、図５及び図８などと同一相当部分については同一符号を付し、その説明は省略する。
【００７６】
９１は、基板３４に設けられた受信機である。駆動部（制御部）３９は、受信機９１で電波を受けているとき、スイッチ３３ｃをオンする。
９２は、フェライトなどのシールド部材である。
【００７７】
図１２は、メモリモジュール３をシールド部材９２で封印した状態を示す。シールド部材９２は電波を吸収又は反射する材料で作られていて、ケース３５の表面全体を覆っている。シールド部材９２を剥がさない限り、ＲＯＭ３２の内容を書き換えることはできない。シールド部材９２は、剥がすと痕が残るか、あるいは容易に剥がすことのできない特殊なシールであるか、あるいはそのような特殊な接着剤で接着されている部材である。
【００７８】
図１１及び図１２の受信機９１は、図８等の受光部３８と同じ作用効果を奏する。
【００７９】
なお、ノイズなどで誤動作しないように、受信機９１は特定の波長の電波にのみ反応するようにしてもよい。あるいは、特定の変調（パルス変調など）を受けた電波のみ反応するようにしてもよい。
【００８０】
以上例示したものは、信号線３１ｂをオンオフするスイッチを設けたものであり、書込信号（／ＷＲ）はコネクタ３１の端子３１ａを通して外部から与えていた。
【００８１】
以下に示す例は、コネクタ３１を通さずに外部から直接書込信号（／ＷＲ）を与えるものである。
【００８２】
図１３（ａ）（ｂ）において、図４、図５などと同一相当部分については同一符号を付し、その説明は省略する。
【００８３】
図１３（ａ）は光により書込信号（／ＷＲ）を与えるものである。
９３は、受光部３８の出力に基づき書込信号（／ＷＲ）を生成する書込信号発生器である。
【００８４】
図１３（ｂ）は電波により書込信号（／ＷＲ）を与えるものである。
９３は、受信機９１の出力に基づき書込信号（／ＷＲ）を生成する書込信号発生器である。
【００８５】
なお、光又は電波により書込信号（／ＷＲ）そのものを与える場合は、書込信号発生器９３は単なるバッファでよい。
【００８６】
図１３（ａ）のメモリモジュールの構造は、図９及び図１０と同様である。図１３（ｂ）のメモリモジュールの構造は、図１２と同様である。
【００８７】
図１３の構成は、図５の構成と同様の作用効果を奏する。
【００８８】
他の実施の形態を図１４及び図１５に示す。図１４及び図１５において、図４、図５などと同一相当部分については同一符号を付し、その説明は省略する。
【００８９】
９４は、ケース３５を貫通して設けられた書込信号端子である。書込信号端子９４は、ケース３５に設けられた穴Ｈに設けられている。
９５は、絶縁性の封印部材である。封印部材９５は、剥がすと痕が残るか、あるいは容易に剥がすことのできない特殊なシールである。
【００９０】
封印部材９５で封印されている限り、ＲＯＭ３２の内容を書き換えることはできない。内容を書き換えるときは、封印部材９５を剥がし、書込信号端子９４を露出させ、これを書込信号（／ＷＲ）の入力端子とする。
【００９１】
図１４及び図１５の構成は、図５の構成と同様の作用効果を奏する。
【００９２】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００９３】
【図１】遊技機の正面図である。
【図２】遊技機のブロック図である。
【図３】発明の実施の形態に係るメモリモジュールの斜視図である。
【図４】発明の実施の形態に係るメモリモジュールのブロック図である。
【図５】発明の実施の形態に係るメモリモジュールの平面図及び断面図である。
【図６】発明の実施の形態に係る他のメモリモジュールの平面図及び断面図である。
【図７】発明の実施の形態に係る他のメモリモジュールの断面図である。
【図８】発明の実施の形態に係る他のメモリモジュールのブロック図である。
【図９】発明の実施の形態に係る他のメモリモジュールの平面図及び断面図である。
【図１０】発明の実施の形態に係る他のメモリモジュールの断面図である。
【図１１】発明の実施の形態に係る他のメモリモジュールのブロック図である。
【図１２】発明の実施の形態に係る他のメモリモジュールの断面図である。
【図１３】発明の実施の形態に係る他のメモリモジュールのブロック図である。
【図１４】発明の実施の形態に係る他のメモリモジュールのブロック図である。
【図１５】発明の実施の形態に係る他のメモリモジュールの断面図である。
【符号の説明】
【００９４】
１    メイン基板（制御装置）
２    サブ基板（制御装置）
３    メモリモジュール
３１  コネクタ
３１ａ  コネクタの書込信号入力端子
３１ｂ  書込信号線
３２  ＲＯＭ（記憶素子）
３３ａ〜３３ｃ  スイッチ（フォトインタラプタ、リレー）
３３ａ−１  スイッチの作用部
３４  基板
３５  ケース
３５ａ  突起
３６  棒状の部材（挿入部材）
３７  封印部材
３８  受光部
３９  駆動部（制御部）
９１  受信機
９２  シールド部材（封印部材）
９３  書込信号発生器
９４  書込信号入力端子
９５  絶縁性シール（封印部材）
Ｈ    穴（開口）
／ＷＲ  書込信号入力端
【図１】
2008302036.tif 000003
【図２】
2008302036.tif 000004
【図３】
2008302036.tif 000005
【図４】
2008302036.tif 000006
【図５】
2008302036.tif 000007
【図６】
2008302036.tif 000008
【図７】
2008302036.tif 000009
【図８】
2008302036.tif 000010
【図９】
2008302036.tif 000011
【図１０】
2008302036.tif 000012
【図１１】
2008302036.tif 000013
【図１２】
2008302036.tif 000014
【図１３】
2008302036.tif 000015
【図１４】
2008302036.tif 000016
【図１５】
2008302036.tif 000017